(57)【特許請求の範囲】
【請求項１】
化粧料を収容する有底筒状の化粧皿と、この化粧皿の開口部に着脱自在に冠着するキャップとを備えたレフィル容器であって、上記化粧皿とキャップとが相対回転しないように係合し、上記化粧皿の外周側面が螺刻されており、上記化粧皿を固定する固定孔の内周側面が螺刻されている容器本体を備えたコンパクト容器に用い、上記化粧皿を固定孔に着脱自在に螺合できるようになっているとともに、上記化粧皿と同様の他の化粧皿と、上記化粧皿の外周側面に螺合するようにその上部が螺刻され、その下部で上記他の化粧皿に着脱自在に冠着して相対回転しないように係合するアダプターとを備え、上記化粧皿とアダプターの上部とが螺合し、上記アダプターの下部と他の化粧皿とが冠着していることを特徴とするレフィル容器。
【発明の詳細な説明】
【０００１】
【発明の属する技術分野】
本発明は、化粧料を収容するコンパクト容器に用いるレフィル容器に関するものである。
【０００２】
【従来の技術】
従来から、アイシャドウ等の化粧料を収容するコンパクト容器として、特開２０００−１６６６３８号公報に示すようなものが提案されている。このものは、ディスプレイ用であり、図１１に示すように、化粧料５４を収容する有底筒状の丸中皿５１と、この丸中皿５１を嵌合させるための貫通孔５５が形成された容器本体５２と、この容器本体５２の後端部にヒンジ連結された蓋体５３とで構成されている。そして、上記丸中皿５１の外周面が、底面に向かうにつれて小径となるテーパー状に形成され、上記貫通孔５５の内周面も、上記テーパー状に対応して底面に向かうにつれて小径となるように形成されることにより、上記丸中皿５１と貫通孔５５とが嵌合して固定するようになっている。
【０００３】
【発明が解決しようとする課題】
しかしながら、図１１に示す従来のコンパクト容器では、丸中皿５１と貫通孔５５との固定が、丸中皿５１の外周面と貫通孔５５の内周面との摩擦によるため、その固定力が弱くなっている。そのため、上記コンパクト容器を店員が運搬や陳列等したり、顧客が手にとって見たりしているうちに、上記丸中皿５１が貫通孔５５から外れ、そのコンパクト容器の美観を損ねることがある。
【０００４】
また、化粧料５４を他のものと取り替える場合には、まず、丸中皿５１の底面を押圧したり衝撃を与えたりして丸中皿５１を貫通孔５５から取り外す必要があり、コンパクト容器を壊すおそれがある。ついで、新たな丸中皿５１を貫通孔５５に嵌合して固定する場合には、丸中皿５１を上部から押圧したり衝撃を与えたりする必要があり、丸中皿５１の化粧料５４を壊すおそれがある。このように、図１１に示す従来のコンパクト容器では、化粧料５４（丸中皿５１）の取り替えが困難となっている。
【０００５】
本発明は、このような事情に鑑みなされたもので、運搬や陳列等しても、美観を損ねることがなく、化粧料の取り替えが簡単にできるとともに、上記化粧皿とは別の他の化粧皿を追加することができるコンパクト容器に用いるレフィル容器の提供をその目的とする。
【０００６】
【課題を解決するための手段】
上記の目的を達成するため、本発明は、化粧料を収容する有底筒状の化粧皿と、この化粧皿の開口部に着脱自在に冠着するキャップとを備えたレフィル容器であって、上記化粧皿とキャップとが相対回転しないように係合し、上記化粧皿の外周側面が螺刻されており、上記化粧皿を固定する固定孔の内周側面が螺刻されている容器本体を備えたコンパクト容器に用い、上記化粧皿を固定孔に着脱自在に螺合できるようになっているとともに、上記化粧皿と同様の他の化粧皿と、上記化粧皿の外周側面に螺合するようにその上部が螺刻され、その下部で上記他の化粧皿に着脱自在に冠着して相対回転しないように係合するアダプターとを備え、上記化粧皿とアダプターの上部とが螺合し、上記アダプターの下部と他の化粧皿とが冠着しているレフィル容器をその要旨とする。
【０００７】
すなわち、本発明のレフィル容器は、化粧皿とキャップとが相対回転しないように係合し、上記化粧皿の外周側面が螺刻されているため、化粧皿を固定する固定孔の内周側面が螺刻されている容器本体を備えたコンパクト容器に用いれば、上記キャップを用いることにより簡単に、上記化粧皿を固定孔に着脱自在に螺合できるようになっている。
【０００８】
また、本発明のレフィル容器は、上記化粧皿と同様の他の化粧皿と、上記化粧皿の外周側面に螺合するようにその上部が螺刻され、その下部で上記他の化粧皿に着脱自在に冠着して相対回転しないように係合するアダプターとを備え、上記アダプターを介して、上記他の化粧皿を追加できるようになっている。
【０００９】
【発明の実施の形態】
つぎに、本発明の実施の形態を図面にもとづいて詳しく説明する。
【００１０】
図１は、コンパクト容器の参考の形態を示している。この参考の形態では、コンパクト容器は、化粧料４を収容した有底円筒状の３個の化粧皿１と、各化粧皿１を固定するために３個の固定孔５が形成された容器本体２と、この容器本体２の後端部にヒンジ連結され容器本体２の上面を蓋する蓋体３とで構成されている。そして、各化粧皿１の外周側面の下部および各固定孔５の内周側面は、螺刻されてねじ部１ａ，５ａに形成されており、各化粧皿１と各固定孔５とが螺合することにより、各化粧皿１が各固定孔５に着脱自在に固定されている。また、蓋体３の裏面前端部には、係合用突出片６が裏面垂直に突設され、容器本体２の前端部には、上記突出片６と係合する係合部７が形成されており、蓋体３を閉じると、上記突出片６と係合部７とが係合して、蓋体３が容器本体２の上面を蓋し、蓋体３を少し開けると、上記突出片６と係合部７との係合が外れるようになっている。
【００１１】
より詳しく説明すると、上記化粧皿１はそれぞれ、図２に示すように、螺刻されたねじ部１ａの上部に、外周が８角形の環状体部１ｂが化粧皿１と同軸状に形成されており、その外径は、ねじ部１ａよりも大径になっている。さらに、上記環状体部１ｂの上部には、その環状体部１ｂよりも小径の円筒体部１ｃが化粧皿１と同軸状に形成されており、その外周面に１本の突条８が周設されている。
【００１２】
上記容器本体２は、図１に示すように、内部が凹状に形成されており、その凹状の底部には、３個の円筒状突部９が突設されている。そして、上記凹状の底部のうち各円筒状突部９の底面に対応する部分は、貫通孔となっており、各円筒状突部９の内周面および各貫通孔の内周面が上記ねじ部５ａに螺刻されて上記固定孔５に形成されている。
【００１３】
そして、上記化粧皿１の化粧料４を使い終えると、その使用済みの化粧皿１は、化粧料４を収容した未使用の化粧皿１と取り替えられ、容器本体２は、そのまま使用される。
【００１４】
上記化粧料４が収容されている未使用の化粧皿１は、レフィル容器として販売等されており、このレフィル容器は、図３および図４に示すように、化粧料４を収容し上記使用済みの化粧皿１と同形状の化粧皿１と、この化粧皿１の上記環状体部１ｂおよび円筒体部１ｃに着脱自在に冠着するキャップ１０とで構成されている。
【００１５】
より詳しく説明すると、上記キャップ１０は、図４〜図６に示すように、上記化粧皿１の環状体部１ｂおよび円筒体部１ｃに冠着する有天円筒状の冠着部１１と、この冠着部１１の上部に立設されている板状の柄部１２とからなっている。上記冠着部１１のうち化粧皿１の環状体部１ｂに冠着する部分の内周面は、その環状体部１ｂよりも僅かに大径の８角形１３に形成されている。また、化粧皿１の円筒体部１ｃに冠着する部分の内周面は、その円筒体部１ｃよりも僅かに大径の円筒面１４に形成されており、その円筒面１４には、上記円筒体部１ｃの外周面に周設された突条８に係脱自在に係合する３個の係合突部１５が等間隔で突設されている。さらに、上記柄部１２の上部には、貫通孔１６が形成されており、販売店等でフック等に掛けることができるようになっている。そして、上記冠着部１１が上記化粧皿１の環状体部１ｂおよび円筒体部１ｃに冠着している状態では、上記冠着部１１と環状体部１ｂの８角形同士が係合し、上記化粧皿１とキャップ１０とがそれぞれの軸を中心として相対回転しないようになっているとともに、上記化粧皿１の円筒体部１ｃの突条８とキャップ１０の冠着部１１の係合突部１５とが係脱自在に係合している。
【００１６】
そして、化粧料４を使い終えた使用済みの化粧皿１と、化粧料４を収容した未使用の化粧皿１との取り替えは、つぎのようにして行なわれる。すなわち、まず、上記レフィル容器を販売店等で購入等したのち、そのレフィル容器のキャップ１０と未使用の化粧皿１との係合を外すことにより、それらキャップ１０と未使用の化粧皿１とを分離する。ついで、図７に示すように、そのキャップ１０を用いて、上記使用済みの化粧皿１を容器本体２から取り外す。この取り外しは、上記キャップ１０の冠着部１１を上記使用済みの化粧皿１の環状体部１ｂおよび円筒体部１ｃに冠着したのち、上記キャップ１０を回転させて上記使用済みの化粧皿１と容器本体２の固定孔５との螺合を外すことにより行なわれる。そののち、上記キャップ１０を未使用の化粧皿１に再び冠着し、上記使用済みの化粧皿１を取り外した容器本体２の固定孔５に、未使用の化粧皿１を螺合させる。このようにして、使用済みの化粧皿１と未使用の化粧皿１とを取り替えることができる。
【００１７】
ここで、本発明のレフィル容器は、図８および図９に示すようなアダプター１７を用いることを特徴とする。すなわち、そのアダプター１７は、上記キャップ１０と同様の冠着部１１の上部に、上記化粧皿１のねじ部１ａが螺合するように内周面が螺刻されている円筒部１８が形成されているものである。そして、上記アダプター１７は、つぎのようにして用いられる。すなわち、図１０に示すように、上記化粧皿１にキャップ１０が冠着されているレフィル容器において、その化粧皿１のねじ部１ａに上記アダプター１７の円筒部１８を螺合させ、そのアダプター１７の冠着部１１に上記化粧皿１と同様の他の化粧皿２１の環状体部２１ｂおよび円筒体部２１ｃを冠着させる。このようにして上記アダプター１７を用いることにより、他の化粧皿２１を１個追加することができる。さらに、上記他の化粧皿２１に対しても上記アダプター１７を用いて上記と同様の作業を繰り返すことにより、上記アダプター１７を介して他の化粧皿２１を複数個追加することができる。
【００１８】
上記参考の形態のコンパクト容器によれば、化粧皿１と固定孔５とが螺合することにより、化粧皿１が固定孔５に着脱自在に固定されているため、そのコンパクト容器を運搬や陳列等しても、化粧皿１が固定孔５から外れることがなく、そのコンパクト容器の美観を損ねることがない。また、化粧皿１を取り替える場合にも、上記螺合のため、化粧皿１を押圧等する必要がなく、上記螺合を外すことにより簡単に取り替えることができる。その結果、コンパクト容器を壊すおそれもなくなる。
【００１９】
また、上記本発明の実施の形態のレフィル容器によれば、化粧皿１にキャップ１０が着脱自在に冠着しており、この冠着状態では、化粧皿１とキャップ１０とが相対回転しないようになっているとともに係脱自在に係合しているため、上記キャップ１０は、化粧皿１に収容された化粧料４を保護するだけでなく、化粧皿１から分離して化粧皿１の取り替え用の道具として用いることができる。その結果、その取り替えが簡単にでき、しかも、その取り替えにレンチ等の他の道具を準備する必要がない。
【００２０】
そして、上記レフィル容器のキャップ１０に柄部１２が形成されていれば、化粧皿１と固定孔５との螺合の脱着の際にキャップ１０を回転させやすく、化粧皿１の取り替えを楽に行なうことができる。さらに、上記柄部１２の上部に貫通孔１６が形成されていれば、販売店等でフック等に掛けることができ、陳列等を簡単に行なうことができる。
【００２１】
さらに、上記本発明のレフィル容器は上記アダプター１７を用いているため、他の化粧皿２１を１個以上追加することができる。そして、このような場合には、１個の化粧皿１，２１につき上記柄部１２が形成されたキャップ１０を１個冠着させる必要がないため、材料費等のコストを低減することができるとともに、ごみの量を減少させることができる。また、上記アダプター１７は、キャップ１０と同様の冠着部１１を備えているため、そのアダプター１７を用いれば、上記キャップ１０と同様にして、使用済みの化粧皿１を容器本体２から取り外したり、未使用の化粧皿１を容器本体２の固定孔５に螺合したりすることができる。さらに、上記アダプター１７は、各化粧皿１の蓋材として用いてもよい。すなわち、コンパクト容器に各化粧皿１が固定された状態において、各化粧皿１に上記アダプター１７を冠着させてもよい。このような場合には、各化粧皿１の化粧料４が上記アダプター１７により保護されるため、コンパクト容器の蓋体３を不要とすることもできる。
【００２２】
なお、上記参考の形態において、コンパクト容器を構成する化粧皿１等の材質は、特に限定されるものではなく、樹脂や金属やそれらを複合したもの等が用いられる。また、外観も、透明でも不透明でもよく、特に限定されるものではない。
【００２３】
また、上記参考の形態では、容器本体２に３個の固定孔５を形成したが、その個数は、特に限定されるものではなく、１個以上あればよい。また、容器本体２には、刷毛等の道具を収容するための収容凹部等を形成してもよいし、蓋体３の裏面に鏡を取り付けてもよい。
【００２４】
【発明の効果】
以上のように、本発明のレフィル容器によれば、化粧皿とキャップとが相対回転しないように係合し、上記化粧皿の外周側面が螺刻されているため、化粧皿を固定する固定孔の内周側面が螺刻されている容器本体を備えたコンパクト容器に用いれば、上記キャップを用いることにより簡単に、上記化粧皿を固定孔に着脱自在に螺合できる。
【００２５】
また、本発明のレフィル容器によれば、上記化粧皿と同様の他の化粧皿と、上記化粧皿の外周側面に螺合するようにその上部が螺刻され、その下部で上記他の化粧皿に着脱自在に冠着して相対回転しないように係合するアダプターとを備え、上記アダプターを介して、上記他の化粧皿を追加できる。
【図面の簡単な説明】
【図１】コンパクト容器の参考の形態を示す説明図である。
【図２】上記コンパクト容器の化粧皿を示す一部が破断した断面図である。
【図３】上記コンパクト容器に用いるレフィル容器を示す斜視図である。
【図４】上記レフィル容器を示す一部が破断した断面図である。
【図５】上記レフィル容器のキャップを示す一部が破断した断面図である。
【図６】上記キャップを示す底面図である。
【図７】上記化粧皿の取り替え方法を示す説明図である。
【図８】本発明のレフィル容器に用いられるアダプターを示す斜視図である。
【図９】本発明のレフィル容器に用いられるアダプターを示す一部が破断した断面図である。
【図１０】本発明のレフィル容器に用いられるアダプターの使用方法を示す一部が破断した断面図である。
【図１１】従来のコンパクト容器を示す説明図である。
【符号の説明】
１  化粧皿
２  容器本体
５  固定孔
【図１】
0004718001.tif 000002
【図２】
0004718001.tif 000003
【図３】
0004718001.tif 000004
【図４】
0004718001.tif 000005
【図５】
0004718001.tif 000006
【図６】
0004718001.tif 000007
【図７】
0004718001.tif 000008
【図８】
0004718001.tif 000009
【図９】
0004718001.tif 000010
【図１０】
0004718001.tif 000011
【図１１】
0004718001.tif 000012